(57)【要約】【課題】見付け側部材に対して見込み側部材を取り付ける際の作業を容易化する。【解決手段】見付け側部材４１と見込み側部材４２とを連結する係合機構４３は、互いに係合した場合に室外側端縁部を中心として見込み側部材４２が見付け側部材４１に対して回転可能となるように支持する第１の係合要素対４３Ａと、第１の係合要素対４３Ａが相互に係合した状態で見込み側部材４２の室内側端縁部が内周側に向けて回転した場合に互いに係合する第２の係合要素対４３Ｂとを備え、第２の係合要素対４３Ｂは、見込み側部材４２の内周側に位置する内表面から突出された係合片４７と、見付け側部材４１に設けられた係合受部４８とを有したものであり、係合受部４８には見込み方向に沿って延在する部分に係合片４７との係合部となる係合受突起４８ｄが設けられている。【選択図】図３
2020128646.tif 000002
【特許請求の範囲】
【請求項１】
建造物に取り付けられた枠の外周部表面を覆うように配置される見付け側部材と、前記見付け側部材との間に設けられた係合機構を介して前記見付け側部材の外周側に配置される部分に連結され、前記見付け側部材から見込み方向に沿って延在する見込み側部材とを備えた額縁であって、
前記係合機構は、互いに係合した場合に一方の端縁部を中心として前記見込み側部材が前記見付け側部材に対して回転可能となるように支持する第１の係合要素対と、前記第１の係合要素対が相互に係合した状態で前記見込み側部材の他方の端縁部が内周側に向けて回転した場合に互いに係合する第２の係合要素対とを備え、
前記第２の係合要素対は、前記見込み側部材の内周側に位置する内表面から突出された係合片と、前記見付け側部材に設けられた係合受部とを有したものであり、前記係合受部には見込み方向に沿って延在する部分に前記係合片との係合部が設けられていることを特徴とする額縁。
【請求項２】
前記第１の係合要素対は、互いに係合した場合に前記見付け側部材に対して前記見込み側部材の外周側への移動及び前記見付け側部材に近接する方向への移動を制限した状態で、前記見付け側部材に対して前記見込み側部材を回転可能に支持するものであり、
前記第２の係合要素対は、互いに係合した場合に前記見付け側部材に対する前記見込み側部材の回転を制限するものであることを特徴とする請求項１に記載の額縁。
【請求項３】
前記係合受部は、前記見付け側部材において前記建造物の表面に対向される内表面に設けられ、かつ前記第１の係合要素対よりも内周側となる部分から見込み方向に沿って延在されていることを特徴とする請求項１に記載の額縁。
【請求項４】
前記係合片は、先端部が内周側に向けて前記見付け側部材に近接するように傾斜して延在し、傾斜した延在端縁部に前記係合受部との係合部が設けられていることを特徴とする請求項１に記載の額縁。
【請求項５】
前記第１の係合要素対は、前記見込み側部材に設けられた見込み側フック部と、前記見付け側部材の外周側となる端縁部に設けられた見付け側フック部とを有し、
前記見付け側フック部は、前記見付け側部材との間に前記見込み側フック部が挿入された状態で係合されるものであり、前記見付け側フック部と前記見付け側部材との間には、前記見込み側フック部の板厚に相当する隙間が確保されていることを特徴とする請求項１に記載の額縁。
【請求項６】
前記見付け側部材の前記内表面において前記見付け側フック部よりも内周側となる部分には、前記見付け側フック部との間に前記見込み側フック部を挿入可能とするガイドリブが突出して設けられていることを特徴とする請求項５に記載の額縁。
【発明の詳細な説明】
【技術分野】
【０００１】
本発明は、枠の外周部表面を覆うように配置される見付け側部材と、見付け側部材から建造物の表面に向けて延在する見込み側部材とを備えた額縁に関するものである。
【背景技術】
【０００２】
建造物に建具を取り付けた枠には、その外周部分を取り囲むように額縁を設ける場合がある。特に、既存の枠を残した状態で建具の改修を行う場合には、新たに取り付けた枠の外周部に既存の枠が位置するため、額縁によって既存の枠を覆い隠すように構成するのが一般的である。この種の額縁には、見付け方向に沿って設けられる見付け側部材と、見付け側部材の外周部分に設けられる見込み側部材とを備えたものがある。見込み側部材は、見付け側部材と建物の表面との間の隙間を覆い隠すものである。見付け側部材と見込み側部材との間には、互いに係合する係合機構が設けられている。係合機構としては、互いに係合した場合に一方の端縁部を中心として見込み側部材が見付け側部材に対して回転可能となるように支持する第１の係合要素対と、第１の係合要素対が相互に係合した状態で見込み側部材の他方の端縁部が内周側に向けて回転した場合に互いに係合する第２の係合要素対とを備えたものが提供されている（例えば、特許文献１参照）。
【先行技術文献】
【特許文献】
【０００３】
【特許文献１】特開２０１６−３３２８２号公報
【発明の概要】
【発明が解決しようとする課題】
【０００４】
ところで、この種の額縁は、見付け側部材の内周側端縁部が枠の見付け面に取り付けられ、その後、見付け側部材の外周部分に見込み側部材が取り付けられることになる。すなわち、見込み側部材を取り付ける状態において見付け側部材は、外周側端縁部の移動が制限されていない。このため、第１の係合要素対が係合した状態で第２の係合要素対を係合させるべく見込み側部材を回転させた場合には、見付け側部材の外周側に位置する部分も内周側に向けて撓むことになる。この結果、見込み側部材の第２の係合要素の移動に対して見付け側部材の第２の係合要素が反対方向に逃げることになり、見込み側部材の取付作業の煩雑化を招来するおそれがある。
【０００５】
本発明は、上記実情に鑑みて、見付け側部材に対して見込み側部材を取り付ける際の作業を容易化することのできる額縁を提供することを目的とする。
【課題を解決するための手段】
【０００６】
上記目的を達成するため、本発明に係る額縁は、建造物に取り付けられた枠の外周部表面を覆うように配置される見付け側部材と、前記見付け側部材との間に設けられた係合機構を介して前記見付け側部材の外周側に配置される部分に連結され、前記見付け側部材から見込み方向に沿って延在する見込み側部材とを備えた額縁であって、前記係合機構は、互いに係合した場合に一方の端縁部を中心として前記見込み側部材が前記見付け側部材に対して回転可能となるように支持する第１の係合要素対と、前記第１の係合要素対が相互に係合した状態で前記見込み側部材の他方の端縁部が内周側に向けて回転した場合に互いに係合する第２の係合要素対とを備え、前記第２の係合要素対は、前記見込み側部材の内周側に位置する内表面から突出された係合片と、前記見付け側部材に設けられた係合受部とを有したものであり、前記係合受部には見込み方向に沿って延在する部分に前記係合片との係合部が設けられていることを特徴とする。
【発明の効果】
【０００７】
本発明によれば、第２の係合要素対を係合させる際には見込み方向に沿って力が加えられることになる。従って、第１の係合要素対が係合した状態で見込み側部材を内周側に向けて回転させた場合にも見付け側部材の変形が抑えられることになり、第２の係合要素対の係合が容易になる結果、見込み側部材の取付作業を容易化することが可能となる。
【図面の簡単な説明】
【０００８】
【図１】本発明の実施の形態である額縁を適用した建具の縦断面図である。
【図２】図１に示した建具の横断面図である。
【図３】図１及び図２に示した建具に適用する額縁を示すもので、（ａ）は見付け側部材の端面図、（ｂ）は見込み側部材の端面図である。
【図４】図３に示した額縁の見付け側部材と見込み側部材との間に設けた係合機構の係合手順を示すもので、（ａ）は第１の係合要素対が係合する直前の状態の要部端面図、（ｂ）は第１の係合要素対が係合した状態で見込み側部材を回転させ、第２の係合要素対が係合する直線の状態の要部端面図、（ｃ）は第１の係合要素対及び第２の係合要素対が係合した状態の要部端面図である。
【発明を実施するための形態】
【０００９】
以下、添付図面を参照しながら本発明に係る額縁の好適な実施の形態について詳細に説明する。
図１及び図２は、本発明の実施の形態である額縁を適用した建具を示したものである。ここで例示する建具は、ドアパネルを省略した状態の玄関用のドアであり、特に既存の枠体を残した状態で建造物の躯体に設置される改修用の玄関ドアを例示している。すなわち、この玄関ドアでは、躯体Ｂに取り付けられた状態の既存の上枠１ａ、下枠１ｂ及び左右の縦枠１ｃに対して個々の内周側に新たな上枠１０ａ、下枠１０ｂ及び左右の縦枠１０ｃを設置することにより枠体１０が構成してある。新たな上枠１０ａ、下枠１０ｂ及び左右の縦枠１０ｃは、それぞれアルミニウム合金等の金属によって成形した押し出し形材であり、それぞれ長手に沿った全長がほぼ一様な断面形状を有するように構成してある。なお、以下においては便宜上、躯体Ｂに残した既設の枠体の構成要素を説明する場合には既設上枠１ａ等、既設という用語を付与して説明し、新たに設置した枠体１０の構成要素を説明する場合には新設上枠１０ａ等、新設という用語を付与して両者を区別することとする。
【００１０】
上述した新設枠体のうち、新設上枠１０ａ及び左右の新設縦枠１０ｃは、見込み方向が長手となる矩形の断面形状となるように構成してある。ここで、見込み方向とは、図中の矢印Ａで示すように、建具の奥行きに沿った方向である。見込み方向に沿った面については見込み面と称する場合がある。また、本実施の形態では見付け方向という用語も用いる。見付け方向とは、上枠１ａ，１０ａ等のように水平方向に沿って延在するものの場合、見込み方向に直交した上下に沿う方向である。縦枠１ｃ，１０ｃ等のように上下方向に沿って延在するものの場合には、見込み方向に直交した水平に沿う方向を見付け方向という。見付け方向に沿った面については、見付け面と称する場合がある。
【００１１】
上述した新設上枠１０ａ及び左右の新設縦枠１０ｃには、それぞれ室内側となる部分に見付けカバー２０及び見込みカバー３０が設けてあるとともに、室外側となる部分に額縁４０が設けてある。見付けカバー２０は、木材や木質材によって成形したものである。見込みカバー３０及び額縁４０は、それぞれアルミニウム合金等の金属によって成形した押し出し形材であり、それぞれ長手に沿った全長がほぼ一様な断面形状を有するように構成してある。以下、これら見付けカバー２０、見込みカバー３０及び額縁４０の構成について詳述し、併せて本願発明の特徴部分について説明する。なお、以下の説明においては便宜上、建造物に取り付けられた状態でそれぞれの姿勢を特定することとする。
【００１２】
見付けカバー２０は、新設上枠１０ａ及び新設縦枠１０ｃよりも室内側となる部分において露出する既設上枠１ａ及び既設縦枠１ｃに対して見込み方向に沿って並設され、既設上枠１ａ及び既設縦枠１ｃの室内に臨む見付け面を覆い隠すものである。図示の例では、厚板状を成す見付けカバー２０を適用するようにしている。
【００１３】
見込みカバー３０は、既設上枠１ａ及び既設縦枠１ｃの内周側に設けられ、既設上枠１ａ及び既設縦枠１ｃの見付け面を覆い隠すものである。図示の例では、室内側に位置する端縁部に設けたカバー取付部３１と、カバー取付部３１から室外側に向けて見込み方向に延在する薄板状のカバー板部３２とを有した見込みカバー３０を適用している。この見込みカバー３０は、カバー取付部３１から見付けカバー２０を介して躯体Ｂと内装材Ｃとの間の胴縁Ｄにネジ３３を螺合することによって取り付けてある。カバー取付部３１には、ネジ３３の頭部をカバーするキャップ３４が装着してある。見込みカバー３０のカバー板部３２は、延在端縁部が新設上枠１０ａ及び新設縦枠１０ｃの室内に臨む見付け面に当接した状態にある。カバー取付部３１の内周側への突出長さ及びカバー板部３２の見込み方向に沿った延在長さは、それぞれに設けた折り取り溝３１ａ，３２ａに沿って切断することにより適宜調整してある。見込みカバー３０のカバー取付部３１と見付けカバー２０との間、さらには見込みカバー３０のカバー板部３２と新設上枠１０ａ及び新設縦枠１０ｃとの間には、それぞれシール材Ｅを塗布することによって水密性が確保してある。
【００１４】
額縁４０は、新設上枠１０ａ及び新設縦枠１０ｃの室外に臨む見付け面からそれぞれの外周部分を覆い隠すためのものである。本実施の形態では、新設上枠１０ａ及び新設縦枠１０ｃのそれぞれに対して、見付け側部材４１及び見込み側部材４２を備えた額縁４０を設けるようにしている。
【００１５】
見付け側部材４１は、新設上枠１０ａ及び新設縦枠１０ｃの室外に臨む見付け面から既設額縁２を超えた建造物の外装材Ｆまでの間の表面を覆い隠すように配置されるものである。より具体的に説明すると、新設上枠１０ａに設けられる見付け側部材４１は、新設上枠１０ａの見付け面に取り付けられる枠取付部４１ａと、枠取付部４１ａの外周側に位置する縁部から外周側に向けて延在した後、室外側に屈曲して見込み方向に延在する見込み板部４１ｂと、見込み板部４１ｂの延在端縁部から外周側に向けて延在する見付け額縁基板部４１ｃとを一体に成形したものである。新設縦枠１０ｃに設けられる見付け側部材４１は、新設縦枠１０ｃの見付け面に取り付けられる枠取付部４１ａと、枠取付部４１ａの外周側に位置する縁部から室外側に向けて見込み方向に延在する見込み板部４１ｂと、見込み板部４１ｂの延在端縁部から外周側に向けて延在する見付け額縁基板部４１ｃとを一体に成形したものである。新設上枠１０ａに設けられる見付け側部材４１の見付け額縁基板部４１ｃは、平板状に形成してある一方、新設縦枠１０ｃに設けられる見付け側部材４１の見付け額縁基板部４１ｃは、見込み板部４１ｂの延在端縁部から外周側に向けて漸次室外側となるように湾曲凹状に延在した後、外周側に向けてわずかに湾曲突状となるように延在している。それぞれ見付け額縁基板部４１ｃの内表面外周部分には、長手に沿って延在する折り取り溝４１ｄが複数設けてある。
【００１６】
見込み側部材４２は、見付け額縁基板部４１ｃの外周側に配置される端縁部から建築物の外装材Ｆまでの間の隙間を覆い隠すように配置されるものである。本実施の形態では、新設上枠１０ａ及び新設縦枠１０ｃで共通となる平板状の見込み額縁基板部４２ａを有した見込み側部材４２を適用している。見込み額縁基板部４２ａの内周面には、長手に沿って延在する折り取り溝４２ｂが複数設けてある。
【００１７】
図１〜図３に示すように、見付け側部材４１における見付け額縁基板部４１ｃの外周側に位置する端縁部と見込み側部材４２における見込み額縁基板部４２ａの室外側に位置する端縁部との間には、係合機構４３が設けてある。係合機構４３は、見付け側部材４１と見込み側部材４２との間を着脱可能に連結するもので、第１の係合要素対４３Ａ及び第２の係合要素対４３Ｂを備えて構成してある。
【００１８】
第１の係合要素対４３Ａは、見込み額縁基板部４２ａに設けた見込み側フック部４４と、見付け側部材４１に設けた見付け側フック部４５とによって構成してある。
【００１９】
見込み側フック部４４は、見込み額縁基板部４２ａの室外側に位置する端縁部に設けたもので、第１見込みフック片４４ａ、第２見込みフック片４４ｂ、第３見込みフック片４４ｃを有している。第１見込みフック片４４ａは、見込み額縁基板部４２ａの端縁部から内周側に向けてほぼ直角に屈曲した部分である。第２見込みフック片４４ｂが、第１見込みフック片４４ａから室外側に向けてほぼ直角に屈曲した部分である。第３見込みフック片４４ｃは、第２見込みフック片４４ｂからさらに室外側に向けて漸次外周となるように傾斜延在した部分である。これら第１見込みフック片４４ａ、第２見込みフック片４４ｂ、第３見込みフック片４４ｃの延在長さは、それぞれ見付け額縁基板部４１ｃの板厚の２倍程度である。第１見込みフック片４４ａと第３見込みフック片４４ｃとの間には、見付け額縁基板部４１ｃの板厚に相当する寸法の隙間４４ｄが確保してある。
【００２０】
見付け側フック部４５は、見付け額縁基板部４１ｃの外周側に位置する端縁部に設けたもので、第１見付けフック片４５ａ、第２見付けフック片４５ｂを有している。第１見付けフック片４５ａは、見付け額縁基板部４１ｃの端縁部から室内側（建造物に近接する側）に向けてほぼ直角に屈曲した部分である。第２見付けフック片４５ｂは、第１見付けフック片４５ａから内周側に向けてほぼ直角に屈曲した部分である。これら第１見付けフック片４５ａ、第２見付けフック片４５ｂの延在長さは、それぞれ見込み額縁基板部４２ａの板厚の２倍程度である。見付け額縁基板部４１ｃと第２見付けフック片４５ｂとの間には、見込み額縁基板部４２ａの板厚に相当する寸法の隙間４５ｃが確保してある。
【００２１】
これら見込み側フック部４４及び見付け側フック部４５は、互いに係合させると、つまり第３見込みフック片４４ｃを見付け額縁基板部４１ｃと見付け側フック部４５の第２見付けフック片４５ｂとの間の隙間４５ｃに挿入すると、見込み側部材４２の室外側に位置する端縁部（第３見込みフック片４４ｃの先端縁部）を中心として見込み側部材４２が見付け側部材４１に対して回転可能となるように支持されることになる。また、見付け側フック部４５及び見込み側フック部４４が係合すると、見付け側部材４１に対して見込み側部材４２の外周側への移動及び室外側への移動（見付け側部材４１に近接する方向への移動）が制限された状態となる。
【００２２】
図からも明らかなように、見付け額縁基板部４１ｃの室内に臨む内表面には、見付け側フック部４５よりも内周側となる部分にガイドリブ４６が設けてある。ガイドリブ４６は、見付け額縁基板部４１ｃから見込み方向に沿って延在する平板部分である。このガイドリブ４６は、見付け側フック部４５との間に見込み側部材４２の見込み側フック部４４を挿入し、第２見込みフック片４４ｂを当接した場合に第３見込みフック片４４ｃの先端部を見付け額縁基板部４１ｃと第２見付けフック片４５ｂとの間の隙間４５ｃに近接して位置させるように機能するものである。本実施の形態では、第１見付けフック片４５ａに対して２倍程度の突出寸法を有するようにガイドリブ４６が設けてある。
【００２３】
第２の係合要素対４３Ｂは、第１の係合要素対４３Ａが相互に係合した状態で見込み側部材４２の室内側に位置する端縁部を内周側に向けて回転させた場合に互いに係合するものである。本実施の形態では、見込み額縁基板部４２ａの内周側に位置する内表面から突出した係合片４７と、見付け額縁基板部４１ｃの室内に臨む内表面から突出した係合受部４８とを有して第２の係合要素対４３Ｂが構成してある。
【００２４】
係合片４７は、見込み額縁基板部４２ａにおいて見込み側フック部４４よりも室内側となる部分に設けたもので、第１係合片部４７ａ、第２係合片部４７ｂ、第３係合片部４７ｃ、第４係合片部４７ｄを有している。第１係合片部４７ａは、見込み額縁基板部４２ａの内表面から内周側に向けてほぼ直角に突出した部分である。第２係合片部４７ｂは、第１係合片部４７ａから内周に向けて漸次室外側となるように傾斜した部分である。第３係合片部４７ｃは、第２係合片部４７ｂから第１係合片部４７ａとほぼ平行となるように内周側に向けて延在した部分である。第４係合片部４７ｄが、第３係合片部４７ｃの途中から室外側に向けてほぼ直角に屈曲した後、内周に向けて漸次室外側となるように傾斜した部分である。第４係合片部４７ｄの延在端縁部には、室内に臨む面に突出するように係合爪部４７ｅが設けてある。この係合爪部４７ｅは、係合受部４８との係合部となるものである。
【００２５】
係合受部４８は、見付け額縁基板部４１ｃにおいてガイドリブ４６よりも内周側となる部分に設けたもので、第１受片部４８ａ、第２受片部４８ｂ、第３受片部４８ｃを有している。第１受片部４８ａは、見付け額縁基板部４１ｃから見込み方向に沿って延在した部分である。第２受片部４８ｂは、第１受片部４８ａから外周側に向けて漸次室内側となるように傾斜した部分である。第３受片部４８ｃは、第２受片部４８ｂから第１受片部４８ａとほぼ平行となるように見込み方向に沿って室内側に向けて延在した部分である。第３受片部４８ｃにおいて第２受片部４８ｂとの連結部となる部分には、室外に向けて突出するように係合受突起４８ｄが設けてある。係合受突起４８ｄが設けられる位置は、第１の係合要素対４３Ａが係合した状態で見込み側部材４２を回転させた場合に係合爪部４７ｅの移動軌跡と交差するように設定してある。
【００２６】
上記のように構成した額縁４０は、枠取付部４１ａを介して新設上枠１０ａ及び新設縦枠１０ｃの室外に臨む見付け面にネジ５０を螺合することにより、見付け額縁基板部４１ｃが外周側を覆うように見付け側部材４１が取り付けられる。ネジ５０を螺合した後においては、枠取付部４１ａにキャップ５１を装着することが好ましい。
【００２７】
その後、係合機構４３を介して見付け側部材４１における見付け額縁基板部４１ｃの外周側端縁部に見込み側部材４２が連結される。すなわち、図４（ａ）に示すように、第１の係合要素対４３Ａを係合した状態で見込み側部材４２の室内側に位置する端縁部を内周側に向けて回転させると、図４（ｂ）に示すように、見込み側部材４２に設けた係合片４７における第４係合片部４７ｄの先端縁部が見付け側部材４１に設けた係合受部４８における第３受片部４８ｃの外周側に位置する面に当接する。その後、さらに見込み側部材４２を内周側に回転させると、図４（ｃ）に示すように、係合片４７の係合爪部４７ｅが係合受部４８の係合受突起４８ｄに係合するとともに、第３受片部４８ｃの先端縁部が係合片４７における第３係合片部４７ｃの室外側に位置する面に当接した状態となる。
【００２８】
この状態においては、係合爪部４７ｅと係合受突起４８ｄとが係合することで見込み側部材４２の外周側への回転が制限され、第３受片部４８ｃの先端縁部が第３係合片部４７ｃに当接することで内周側への回転が制限されることになる。つまり、上述したように、第１の係合要素対４３Ａが係合することで見付け側部材４１に対して見込み側部材４２の外周側への移動及び室外側への移動が制限され、第２の係合要素対４３Ｂが係合することで見付け側部材４１に対する見込み側部材４２の回転が制限されることになる。これにより、見付け側部材４１に対して見込み側部材４２が連結された状態に維持され、見込み側部材４２によって見付け側部材４１と建築物の外装材Ｆまでの間の隙間が覆い隠されることになる。なお、見込み側部材４２の延在長さは、予め折り取り溝４２ｂに沿って切断することにより適宜調整しておくことが好ましい。また、見込み側部材４２の端縁部と外装材Ｆとの間には、シール材Ｇを塗布して所望の水密性を確保することが好ましい。
【００２９】
上述した取り付け作業の際、上述の額縁４０によれば、係合受部４８には見込み方向に沿って延在する部分に係合片４７との係合部となる係合受突起４８ｄが設けられている。従って、第２の係合要素対４３Ｂを係合させる際には見込み方向に沿って力が加えられることになり、見込み側部材４２を内周側に向けて回転させた場合にも見付け額縁基板部４１ｃの変形が抑えられるため、第２の係合要素対４３Ｂを容易に係合させることが可能となる。
【００３０】
なお、上述した実施の形態では、改装用ドアの枠体１０に設けられる額縁４０を例示しているが、必ずしもドアである必要はなく、その他の建具にも適用することが可能である。この場合の建具は、改装用である必要もない。さらに、アルミニウム合金によって成形した額縁を例示しているが、アルミニウム合金以外の金属や樹脂によって成形しても構わない。
【００３１】
また、上述した実施の形態では、第１の係合要素対４３Ａとしてフック形状のものを適用しているため、互いに係合した場合に見付け側部材４１に対して見込み側部材４２の見込み方向に沿った移動や外周側への移動を制限することが可能となるが、本発明は必ずしもこれに限定されず、互いに係合した場合に一方の端縁部を中心として見込み側部材が回転可能となるように支持できれば良い。さらに、見付け側部材４１にガイドリブ４６を設けるようにしているため、第１の係合要素対４３Ａを係合する際の作業を容易化することができるが、必ずしもガイドリブ４６を設ける必要はない。またさらに、見付け方向に延在する見付け額縁基板部４１ｃの端縁部に第１の係合要素対４３Ａである見付け側フック部４５を設けるようにしているため、第２の係合要素対４３Ｂを係合させる際に見付け側部材４１が内周側へ変形する事態をより確実に防止することができるが、本発明は必ずしもこれに限定されない。例えば、見付け側部材として、見付け額縁基板部の外周側に位置する縁部を室内側に向けて屈曲したものを適用し、この延在端縁部に係合機構を介して見込み側部材を連結するようにしたものであっても構わない。この場合においても、係合受部において見込み方向に沿って延在する部分に係合片との係合部を設ければ、見込み側部材を回転させた際に見付け側部材が変形する事態を防止することができ、その作業を容易化することが可能である。なお、見付け側部材において室内側に向けて屈曲した部分の延在端縁部に係合機構を設ける場合、係合受部は、屈曲した部分の内周側表面から内周側に延在した後、室内側に向けて見込み方向に延在させれば良い。
【００３２】
以上のように本発明に係る額縁は、建造物に取り付けられた枠の外周部表面を覆うように配置される見付け側部材と、前記見付け側部材との間に設けられた係合機構を介して前記見付け側部材の外周側に配置される部分に連結され、前記見付け側部材から見込み方向に沿って延在する見込み側部材とを備えた額縁であって、前記係合機構は、互いに係合した場合に一方の端縁部を中心として前記見込み側部材が前記見付け側部材に対して回転可能となるように支持する第１の係合要素対と、前記第１の係合要素対が相互に係合した状態で前記見込み側部材の他方の端縁部が内周側に向けて回転した場合に互いに係合する第２の係合要素対とを備え、前記第２の係合要素対は、前記見込み側部材の内周側に位置する内表面から突出された係合片と、前記見付け側部材に設けられた係合受部とを有したものであり、前記係合受部には見込み方向に沿って延在する部分に前記係合片との係合部が設けられていることを特徴としている。
【００３３】
この発明によれば、第２の係合要素対を係合させる際には見込み方向に沿って力が加えられることになる。従って、第１の係合要素対が係合した状態で見込み側部材を内周側に向けて回転させた場合にも見付け側部材の変形が抑えられることになり、第２の係合要素対を容易に係合させることが可能となる。
【００３４】
また本発明は、上述した額縁において、前記第１の係合要素対は、互いに係合した場合に前記見付け側部材に対して前記見込み側部材の外周側への移動及び前記見付け側部材に近接する方向への移動を制限した状態で、前記見付け側部材に対して前記見込み側部材を回転可能に支持するものであり、前記第２の係合要素対は、互いに係合した場合に前記見付け側部材に対する前記見込み側部材の回転を制限するものであることを特徴としている。
【００３５】
この発明によれば、第１の係合要素対及び第２の係合要素対を係合させれば、見付け側部材に対する見込み側部材の相対移動が制限されるため、他に相対移動を阻止するための部材を設ける必要がない。
【００３６】
また本発明は、上述した額縁において、前記係合受部は、前記見付け側部材において前記建造物の表面に対向される内表面に設けられ、かつ前記第１の係合要素対よりも内周側となる部分から見込み方向に沿って延在されていることを特徴としている。
【００３７】
この発明によれば、係合受部が見込み方向に沿って延在しているため、第２の係合要素対を係合させる際の力が見付け側部材に及ぶおそれがなくなり、見付け側部材の変形を一層抑えることが可能となる。
【００３８】
また本発明は、上述した額縁において、前記係合片は、先端部が内周側に向けて前記見付け側部材に近接するように傾斜して延在し、傾斜した延在端縁部に前記係合受部との係合部が設けられていることを特徴としている。
【００３９】
この発明によれば、見込み側部材の回転方向に沿って係合片を設けることができ、見込み側部材を回転させた場合の力が係合片に効率良く伝達され、係合受部に係合させ易くなる。
【００４０】
また本発明は、上述した額縁において、前記第１の係合要素対は、前記見込み側部材に設けられた見込み側フック部と、前記見付け側部材の外周側となる端縁部に設けられた見付け側フック部とを有し、前記見付け側フック部は、前記見付け側部材との間に前記見込み側フック部が挿入された状態で係合されるものであり、前記見付け側フック部と前記見付け側部材との間には、前記見込み側フック部の板厚に相当する隙間が確保されていることを特徴としている。
【００４１】
この発明によれば、見付け側部材として見込み方向に沿って延在する部分がほぼなくなるため、第２の係合要素対を係合させる際の変形が抑えられ、見込み側部材の取付作業を一層容易化することができる。
【００４２】
また本発明は、上述した額縁において、前記見付け側部材の前記内表面において前記見付け側フック部よりも内周側となる部分には、前記見付け側フック部との間に前記見込み側フック部を挿入可能とするガイドリブが突出して設けられていることを特徴としている。
【００４３】
この発明によれば、ガイドリブが見込み側フック部を見付け側フック部に係合させる際の案内となるため、見込み側部材の取付作業を容易化することができる。
【符号の説明】
【００４４】
１０ａ  新設上枠、１０ｃ  新設縦枠、４０  額縁、４１  見付け側部材、４２  見込み側部材、４３  係合機構、４３Ａ  第１の係合要素対、４３Ｂ  第２の係合要素対、４４  見込み側フック部、４５  見付け側フック部、４６  ガイドリブ、４７  係合片、４７ｅ  係合爪部、４８  係合受部、４８ｄ  係合受突起
【図１】
2020128646.tif 000003
【図２】
2020128646.tif 000004
【図３】
2020128646.tif 000005
【図４】
2020128646.tif 000006